(57)【要約】      （修正有）【課題】従来のイオン導入美容器では、ヘッドが円筒状又は長方形に構成されているために、顔の凹凸が少ない所はイオンを導入させ易いが、鼻のそばなどには円筒状又は長方形のヘッドを接触させにくいといという問題があり、これらを解決したイオン導入美容器を提供する。【解決手段】美容器本体１の上面に円筒状の突出部１ａが形成され、この突出部１ａの上面にコイルバネ電極２が突出され、又、円筒状の突出部１ａの近傍に動作スイッチ３が装着され、又、美容器本体１の側部に導通電極４が装着され、又、上面が平らな金属ヘッド５が円筒状突出部１ａに嵌合されるように構成され、又、コントロール部に動作スイッチ３が接続され、さらに、コントロール部に電源部から電力が印加され、又、コントロール部からの出力で送信部が駆動され、送信部からの出力でコイルバネ電極２に接続された金属ヘッド５と導通電極４に負の電位が印加される。【選択図】        図１
2004201884.tif 000002
【特許請求の範囲】
【請求項１】
周囲にネジ山を設けた円筒状の突出部を設け、該突出部にバネ電極を装着し、側面に手に接触させる電極を設けた美容器本体と、前記円筒状突出部のネジ山に嵌合されるヘッドと、前記美容器本体の内部に装着される電源と、該電源が接続されたコントローラ部と、該コントローラ部に接続される操作部及び送信部とからなり、前記送信部に接続された前記バネ電極に前記円筒状突出部のネジ山に嵌合された前記ヘッドを前記バネ電極と接触させることを特徴とするイオン導入美容器。
【請求項２】
前記バネ電極はコイルバネ電極であることを特徴とする請求項１記載のイオン導入美容器。
【請求項３】
前記バネ電極は板バネ電極であることを特徴とする請求項１記載のイオン導入美容器。
【発明の詳細な説明】
【０００１】
【発明が属する技術分野】
本発明は、顔等にイオンを導入するヘッドを交換可能にしたイオン導入美容器に関するものである。
【０００２】
【従来の技術】
一般に、イオン導入美容器としては、美容器本体に円筒状又は長方形のヘッドが固着され、美容器本体に装着されたスイッチをオンにすることにより、この円筒状又は長方形のヘッドをビタミンＣの誘電体がマイナスにイオン化されている美容液を塗った顔や手又は足に接触して移動すると、美容器本体の側面に装着した電極が手に接触され、ヘッドが顔に接触されることによって、顔と手の間に起電力が発生し、マイナス電位のヘッドに反発されて、皮膚からイオンが導入されるように構成されている。
【０００３】
【発明が解決しようとする課題】
しかしながら、このようなイオン導入美容器では、ヘッドが円筒状又は長方形に構成されているために、顔の凹凸が少ない所はイオンを導入させ易いが、鼻のそばなどには円筒状又は長方形のヘッドを接触させにくいといという問題があった。
【０００４】
【課題を解決しようとする手段】
本発明は、周囲にネジ山を設けた円筒状の突出部を設け、該突出部にバネ電極を装着し、側面に手に接触させる電極を設けた美容器本体と、前記円筒状突出部のネジ山に嵌合されるヘッドと、前記美容器本体の内部に装着される電源と、該電源が接続されたコントローラ部と、該コントローラ部に接続される操作部及び送信部とからなり、前記送信部に接続された前記バネ電極に前記円筒状突出部のネジ山に嵌合された前記ヘッドを前記バネ電極と接触させものであり、又、前記バネ電極はコイルバネ電極であり、さらに、前記バネ電極は板バネ電極である。
【０００５】
【発明の実施の形態】
本発明では、美容器本体の円筒状の突出部のネジ山に嵌合するように上面が平面又は山状のように顔の凹凸に合わせたヘッドを取り付け、上面が平らなヘッドでは顔のほほのように平らな部分の肌を引き締めるためにイオンを注入し、又、上面に突出部を設けたヘッドは鼻の付け根部分を引き締めるためにイオンを注入し、さらに、他の形状のヘッドを美容器本体に交換可能にできるので、各部を種々の形状のヘッドを使用して顔の肌を引き締めることができる。
【０００６】
【実施例】
図１は本発明の実施例のイオン導入美容器の斜視図、図２は図１のイオン導入美容器の側面図、図３はイオン導入美容器のブロック図で、美容器本体１の上面に円筒状の突出部１ａが形成され、この突出部１ａの上面にコイルバネ電極２が突出され、又、円筒状の突出部１ａの近傍に動作スイッチ３が装着され、又、美容器本体１の側部に導通電極４が装着され、又、上面が平らな金属ヘッド５が円筒状突出部１ａに嵌合されるように構成され、又、図３に示すように、コントロール部６に動作スイッチ３が接続され、さらに、コントロール部６に電源部７から電力が印加され、又、コントロール部６からの出力で送信部８が駆動され、送信部８からの出力でコイルバネ電極２に接続された金属ヘッド５と導通電極４に負の電位が印加される。
【０００７】
このように構成した本実施例のイオン導入美容器では、まず、顔のほほのように平らな部分の美容を行うには、美容器本体１を手で握ることにより、手の指に導通電極４が接触するので、ここで、動作スイッチ３を押しながら金属ヘッド部５を顔に接触させると、手に接触された導通電極４と金属ヘッド５の間に印加された負の電圧で肌に塗った美容液に含まれるマイナスイオンが反発されて顔の肌にイオンが導入されるが、顔の鼻の近傍では、平らな金属ヘッド５は接触させにくいので、図４に示すように、先端５ａが突出している金属ヘッド５を使用することにより、鼻の近傍にイオン導入、クレンジング及びマーサージを効果的に行うことができる。
【０００８】
なお、上記実施例では、上面が平らな金属ヘッド５又は上面が突出している金属ヘッド５を使用した例を示したが、金属ヘッドとしては、さらに先端を細く突出させたものや、緩やかに突出させたものを使用することができ、又、コイルバネ電極２の代わりに板バネ電極を使用することができ、さらに、金属ヘッドは樹脂成形して全面をニッケルなどの金属メッキをしたものでもよいことは言うまでもない。
【０００９】
【発明の効果】
以上説明したように、本発明のイオン導入美容器では、美容器本体の円筒状の突出部のネジ山に嵌合するように上面が平面又は山状のように顔の凹凸に合わせたヘッドを交換できるように取り付け、上面が平らなヘッドでは顔のほほのように平らな部分の肌を引き締めるためにイオンを注入し、又、上面に突出部を設けたヘッドは鼻の付け根部分を引き締めるためにイオンを注入し、さらに、他の形状のヘッドを美容器本体に交換可能にできるので、各部を種々の形状のヘッドを使用して顔の肌を引き締めることができるという利点がある。
【図面の簡単な説明】
【図１】本発明の実施例のイオン導入美容器の斜視図である。
【図２】図１のイオン導入美容器の側面図である。
【図３】図１のイオン導入美容器のブロック図である。
【図４】本発明の他の実施例のイオン導入美容器の斜視図である。
【符号の説明】
１            美容器本体
２            コイルバネ
３            動作スイッチ
４            導通電極
５            金属ヘッド
６            コントロール部
７            電源部
８            送信部
【図１】
2004201884.tif 000003
【図２】
2004201884.tif 000004
【図３】
2004201884.tif 000005
【図４】
2004201884.tif 000006